(57)【要約】      （修正有）【課題】カレンダー構成片を接合折畳部を介してめくり、重ね合わせて使用するカレンダーの、カレンダー構成片端部の中央部に開設された孔部の強度を向上させると共に、カレンダー構成片の反接合折畳部側端部の両端部が紙の重さにより垂れてくる事態を有効に防止できるカレンダーを提供する。【解決手段】複数のカレンダー構成片１１ａ，１１ｂを備え、カレンダー構成片の端部において互いに折り畳み可能に接合され、各カレンダー構成片の反接合折畳部側端部１４の中央部に掲示用の孔部１２ａ，１２ｂが開設され、カレンダー構成片をめくり、隣接するカレンダー構成片上に他のカレンダー構成片を重ねることにより使用するカレンダーである。最初のカレンダー構成片１１ａの反接合折畳部側端部には、最初のカレンダー構成片１１ａに重ねられた他のカレンダー構成片１１ｂの反接合折畳部側端部を被覆して保持しうる固定片部１５を有する。【選択図】図３
0003188341.tif 000002
【実用新案登録請求の範囲】
【請求項１】
複数のカレンダー構成片を備え、上記カレンダー構成片の内方端部において互いに折り畳み可能に接合折畳部を介して接合され、上記各カレンダー構成片の反接合折畳部側端部の中央部に掲示用の孔部が開設され、上記カレンダー構成片をめくり隣接するカレンダー構成片上に他のカレンダー構成片を重ねることにより使用するカレンダーであって、
最初のカレンダー構成片の反接合折畳部側端部には、上記最初のカレンダー構成片に重ねられた他のカレンダー構成片の反接合折畳部側端部を被覆して保持しうる固定片部を有することを特徴とするカレンダー。
【請求項２】
上記固定片部は、マチ部と、上記マチ部に連続して形成され、カレンダー構成片の幅方向全域に亙って形成された被覆片部とを有すことを特徴とする請求項１記載のカレンダー。
【請求項３】
上記マチ部は、上記全ての他のカレンダー構成片を重ねた厚さ寸法以上の幅寸法を有することを特徴とする請求項２記載のカレンダー。
【請求項４】
上記被覆片部はマチ部よりも厚さ寸法が大きく形成され、上記孔部が開設されていることを特徴とする請求項２記載のカレンダー。
【請求項５】
上記カレンダー構成片は平面横長長方形状に形成されていると共に上記固定片部は上記カレンダー構成片の端縁部を折り返して形成されていることを特徴とする請求項１記載のカレンダー。
【考案の詳細な説明】
【技術分野】
【０００１】
本考案は、カレンダーの改良に関する。
【背景技術】
【０００２】
従来より、複数のカレンダー構成片を備え、上記カレンダー構成片の内方端部において互いに接合折畳部を介して折り畳み可能に接合され、上記各カレンダー構成片の反接合折畳部側端部の中央部に掲示用の孔部が開設され、上記カレンダー構成片を上記接合折畳部を介してめくり、隣接するカレンダー構成片上に他のカレンダー構成片を重ねることにより使用する紙製のカレンダーが使用されている。このようなカレンダーは、上記孔部を利用して、壁面等に釘、ピン等の固定部材を介して固定して使用されている。
【０００３】
しかしながら、このような従来のカレンダーにあっては、壁面等に釘、ピン等を利用して固定して使用した場合、紙製であることから掲示用の孔部の剛性が低く、使用の仕方によっては孔部に亀裂が生じる場合もあり、使用上の不都合があった。
【０００４】
また、カレンダー構成片が、例えば、横長に形成されていたような場合には、カレンダー構成片をめくり隣接するカレンダー構成片に重ね、孔部に釘、ピン等を挿通させて、壁等に固定した場合には、カレンダー構成片の反接合折畳部側端部の両端部が紙の重さにより垂れてくる場合があり、同様に使用上の不都合があった。
【考案の開示】
【考案が解決しようとする課題】
【０００５】
そこで、本願考案は、このような従来の要請に基づくものであって、カレンダー構成片を接合折畳部を介してめくり重ねて使用するカレンダーの、カレンダー構成片端部の中央部に孔部周辺部の強度を向上させると共に、カレンダー構成片の反接合折畳部側端部の両端部が紙の重さにより垂れてくる事態を有効に防止できるカレンダーを提供することにある。
【課題を解決するための手段】
【０００６】
上記課題解決のため、請求項１記載の考案にあっては、複数のカレンダー構成片を備え、上記カレンダー構成片の端部において接合折畳部を介して互いに折り畳み可能に接合され、上記各カレンダー構成片の反接合折畳部側端部の中央部に掲示用の孔部が開設され、上記カレンダー構成片をめくり、隣接するカレンダー構成片上に他のカレンダー構成片を重ねることにより使用するカレンダーであって、最初のカレンダー構成片の反接合折畳部側端部には、上記最初のカレンダー構成片に重ねられた他のカレンダー構成片の反接合折畳部側端部を被覆して保持しうる固定片部を有することを特徴とする。
【０００７】
従って、請求項１記載の考案にあっては、カレンダー構成片をめくって他のカレンダー構成片上に重ねた場合には、最初のカレンダー構成片に設けられた固定片部によりカレンダー構成片を固定することができる。
【０００８】
請求項２記載の考案にあっては、上記固定片部は、マチ部と、上記マチ部に連続して形成され、カレンダー構成片の幅方向全域に亙って形成された被覆片部とを有すことを特徴とする。
従って、請求項２記載の考案にあっては、折り返したカレンダー構成片は固定片部を構成する折り返し辺部により幅方向全域に亙って保持される。
【０００９】
請求項３記載の考案にあっては、上記マチ部は、上記他の全てのカレンダー構成片を重ねた厚さ寸法以上の幅寸法を有することを特徴とする。
従って、請求項３記載の考案にあっては、全てのカレンダー構成片を接合折畳部を介してめくり、最初のカレンダー構成辺部に重ねた場合であっても、固定片部のマチ部内に収納されて保持される。
【００１０】
請求項４記載の考案にあっては、上記被覆片部はマチ部よりも厚さ寸法が大きく形成され、上記孔部が開設されていることを特徴とする。従って、請求項４記載の考案にあっては、上記孔部は厚さ寸法の大きい折り返し辺部に開設されている。
【００１１】
請求項５記載の考案にあっては、上記カレンダー構成片は平面横長長方形状に形成されていると共に上記固定片部は上記カレンダー構成片の端縁部を折り返して形成されていることを特徴とする。
【考案の効果】
【００１２】
請求項１、２及び５記載の考案にあっては、カレンダー構成片をめくって他のカレンダー構成片上に重ねた場合には、最初のカレンダー構成片に設けられた固定片部によりカレンダー構成片を固定することができるため、カレンダー構成片が、例えば、横長に形成されていたような場合には、カレンダー構成片をめくり隣接するカレンダー構成片に重ね、孔部に釘、ピン等の固定具を挿通させて、壁等に固定した場合に、カレンダー構成片の反接合折畳部側端部の両端部が紙の重さにより垂れてくる事態を有効に防止することができ、快適に使用できるカレンダーを提供することが可能となる。
【００１３】
請求項３記載の考案にあっては、全てのカレンダー構成片を接合折畳部を介してめくり、最初のカレンダー構成辺部に重ねた場合であっても、固定片部のマチ部内に収納されて保持されるため、各カレンダー構成片に開設した孔部及び最初のカレンダー構成片の孔部を軸方向にずれることなく重ねることができる。その結果、ピン、釘等の固定具を孔部に支障なく容易に挿通させてカレンダーを壁面に固定することができる。
【００１４】
請求項４記載の考案にあっては、上記孔部は厚さ寸法の大きい折り返し辺部に開設されていることから、孔部の周辺部の剛性が大きく、ピン、釘等の固定具に挿通した使用した場合であっても、孔部が破断することがなく、カレンダー本体の重量を確実に支持することができる。
【図面の簡単な説明】
【００１５】
【図１】本考案に係るカレンダーの一実施の形態を示す展開平面図である。
【図２】本考案に係るカレンダーの一実施の形態を示し、カレンダーを接合折畳部を介して折り畳んだ状態を示す斜視図である。
【図３】本考案に係るカレンダーの一実施の形態を示し、図１のＡ−Ａ線断面図である。
【考案を実施するための最良の形態】
【００１６】
図１及び図２に示すように、本実施の形態に係るカレンダー１０は、複数のカレンダー構成片１１を備え、上記カレンダー構成片１１の端部において接合折畳部１３を介して折り畳み可能に接合されている。
上記各カレンダー構成片１１の反接合折畳部側端部の中央部に掲示用の孔部１２が開設され、上記カレンダー構成片１１を上記接合折畳部１３を介してめくり、隣接するカレンダー構成片１１上に他のカレンダー構成片１１を重ねることにより使用するように構成されている。
【００１７】
本実施の形態に係るカレンダー１０は、厚紙製であって平面横長長方形状に形成され、第一ページ目のカレンダー構成片１１ａの反接合折畳部側端部には、上記第一ページ目のカレンダー構成片１１ａに重ねられた他のカレンダー構成片１１ｂの反接合折畳部側端部１４を被覆して保持しうる固定片部１５が設けられている。
【００１８】
図３に示すように、本実施の形態にあっては、上記固定片部１５は上記カレンダー構成片１１ａの端縁部を折り返して形成されている。上記固定片部１５は、マチ部１６と、上記マチ部１６に連続して形成され、カレンダー構成片の幅方向全域に亙って形成された被覆片部１７とを有している。上記マチ部１６は、上記全ての他のカレンダー構成片１１ｂを重ねた厚さ寸法Ｌ以上の幅寸法Ｌ１を有している。上記被覆片部１７はマチ部１６よりも厚さ寸法が大きく形成され、上記孔部１２が開設されている。
【００１９】
従って、本実施の形態に係るカレンダー１０を使用する場合には、第一ページ目のカレンダー構成片１１ａの幅方向端部及び固定片部１５には孔部１２ａが開設されており、孔部１２ａを介してピン等により適宜壁面部に固定掲示することができ、この状態で各月のカレンダー本体１８が掲載されたカレンダー構成片１１ｂによりカレンダーとして使用することができる。
【００２０】
その後、月日の経過により各月のカレンダー構成片１１ｂをめくり第一ページ目のカレンダー構成片１１ａ上に重ねる場合には、図３に示すように、各カレンダー構成片１１ｂは固定片部１５内に端部が収納された状態で重ねられる。
【００２１】
従って、他のカレンダー構成片１１ｂをめくり重ねた場合であっても、固定片部１５のマチ部１６は、上記全ての他のカレンダー構成片１１を重ねた厚さ寸法Ｌ以上の幅寸法Ｌ１を有している。上記被覆片部１７はマチ部１６よりも厚さ寸法が大きく形成されていることから、カレンダー構成片１１ｂが互いに平面方向にずれることなく、互いに端部が一致した状態で重ねられる。
【００２２】
その結果、各孔部１２ａ、１２ｂも厚さ方向に部位が一致した状態となることから、ピン等の固定具を各孔部１２ａ、１２ｂに容易に貫通させて掲示することができる。
また、ピン等の固定具が各孔部１２ａ、１２ｂに貫通した状態で壁面に掲示された場合には、固定片部１５の被覆片部１７がカレンダー構成片１１ｂの端部を幅方向全域に亙って押さえた状態となることから、横長長方形状のカレンダー構成片１１ｂであっても、カレンダー構成片１１ｂの幅方向の両端部が垂れ下がり見苦しい、という事態を有効に防止することができる。
【符号の説明】
【００２３】
１０  カレンダー
１１  カレンダー構成片
１２  孔部
１３  接合折畳部
１４  反接合折畳部側端部
１５  固定片部
１６  マチ部
１７  被覆片部
１８  カレンダー本体
Ｌ    他のカレンダー構成片の厚さ寸法
Ｌ１  固定片部のマチ部の厚さ寸法
【図１】
0003188341.tif 000003
【図２】
0003188341.tif 000004
【図３】
0003188341.tif 000005